(57)【要約】      （修正有）【課題】軒樋を軒樋吊具に取り付ける際に、容易に軒樋の取付位置を調整することができる軒樋吊具を提供する。【解決手段】壁面に固定される設置部３と、設置部から略水平方向に突出する腕部４と、腕部の突出方向の先端部４１側に設けられ、軒樋２の一方の耳部２２bを保持する係合部５と、回動自在な第１保持部６と、回動自在な第２保持部７と、第１保持部と接続し、第１保持部の回動を操作可能な第１操作部８と、第２保持部と接続し、第２保持部の回動を操作可能な第２操作部９とを備え、第１操作部によって、第１保持部を設置部から離れる方向に回動させることで、軒樋の他方の耳部を外側から保持可能であり、かつ、第２操作部によって、第２保持部を設置部に近づく方向に回動させることで、軒樋の他方の耳部を内側から保持可能であり、第１操作部と第２操作部は、軒樋の他方の耳部を保持した状態で、第１保持部と第２保持部の回動を阻止可能とする。【選択図】図１
2016199872.tif 000002
【特許請求の範囲】
【請求項１】
軒樋本体の一対の上端縁のそれぞれの外側に耳部が設けられている軒樋を保持する軒樋吊具であって、
壁面に固定される設置部と、
前記設置部から略水平方向に突出する腕部と、
前記腕部の突出方向の先端部側に設けられ、前記軒樋の一方の耳部を保持する係合部と、
前記係合部より前記設置部側の前記腕部の一方の側端部の下方付近に設けられ、前記腕部の突出方向と直交する水平方向を中心軸として回動自在な第１保持部と、
前記係合部より前記設置部側の前記腕部の他方の側端部の下方付近に設けられ、前記腕部の突出方向と直交する水平方向を中心軸として回動自在な第２保持部と、
前記第１保持部と接続し、前記第１保持部の回動を操作可能な第１操作部と、
前記第２保持部と接続し、前記第２保持部の回動を操作可能な第２操作部と、
を備え、
前記第１操作部によって、前記第１保持部を前記設置部から離れる方向に回動させることで、前記軒樋の他方の耳部を外側から保持可能であり、かつ、前記第２操作部によって、前記第２保持部を前記設置部に近づく方向に回動させることで、前記軒樋の他方の耳部を内側から保持可能であり、
前記第１操作部と前記第２操作部は、前記第１保持部と前記第２保持部によって前記軒樋の他方の耳部を保持した状態で、前記第１保持部と前記第２保持部の回動を阻止可能であることを特徴とする軒樋吊具。
【請求項２】
前記第１操作部と前記第２操作部とは互いに近接しており、前記第１操作部には、前記第２操作部と対峙する一端部に、側方に向かって突出する第１爪部を備え、前記第２操作部には、前記第１操作部と対峙する一端部に側方に向かって突出する第２爪部を備え、
前記第１爪部と前記第２爪部とを係合させることで、前記第１保持部と前記第２保持部の回動が阻止されることを特徴とする請求項１に記載の軒樋吊具。
【請求項３】
前記設置部、前記腕部、前記係合部、前記第１保持部、前記第２保持部、前記第１操作部および前記第２操作部が樹脂製であることを特徴とする請求項１または２に記載の軒樋吊具。
【発明の詳細な説明】
【技術分野】
【０００１】
本発明は、軒樋吊具に関する。
【背景技術】
【０００２】
従来、軒樋の耳部を保持して、軒樋を軒先に取り付ける軒樋吊具が知られている。例えば、特許文献１には、軒先に取り付けられる取付部と、この取付部付近から屋外側に突出した腕部と、腕部の先端に設けられた屋外側耳保持部と、この屋外側耳保持部より屋外側に設けられた屋内側耳保持部とからなる軒樋吊具が記載されている。また、この軒樋吊具の屋内側耳保持部はＣ字形の小片であり、Ｃ字形の両側の先端部で軒樋の屋内側耳部を両側から挟んで保持する構造になっている。
【先行技術文献】
【特許文献】
【０００３】
【特許文献１】特開平10−152953号公報
【発明の概要】
【発明が解決しようとする課題】
【０００４】
しかしながら、特許文献１の軒樋吊具のように、Ｃ字形の耳保持部の両側の先端部によって軒樋の耳部を両側から挟んで保持する場合、耳保持部が耳部から外れ難いため、一旦取り付けた軒樋の取付位置を調整することが難しいという問題がある。このため、軒樋吊具に軒樋を取り付ける際は、予め軒樋の取付位置を正確に調整する手間がかかり、施工性を高めるための改善が求められていた。
【０００５】
本発明は、以上のとおりの事情に鑑みてなされたものであり、軒樋を軒樋吊具に取り付ける際に、容易に軒樋の取付位置を調整することができる軒樋吊具を提供することを課題としている。
【課題を解決するための手段】
【０００６】
上記の課題を解決するために、本発明の軒樋吊具は、軒樋本体の一対の上端縁のそれぞれの外側に耳部が設けられている軒樋を保持する軒樋吊具であって、
壁面に固定される設置部と、
前記設置部から略水平方向に突出する腕部と、
前記腕部の突出方向の先端部側に設けられ、前記軒樋の一方の耳部を保持する係合部と、
前記係合部より前記設置部側の前記腕部の一方の側端部の下方付近に設けられ、前記腕部の突出方向と直交する水平方向を中心軸として回動自在な第１保持部と、
前記係合部より前記設置部側の前記腕部の他方の側端部の下方付近に設けられ、前記腕部の突出方向と直交する水平方向を中心軸として回動自在な第２保持部と、
前記第１保持部と接続し、前記第１保持部の回動を操作可能な第１操作部と、
前記第２保持部と接続し、前記第２保持部の回動を操作可能な第２操作部と、
を備え、
前記第１操作部によって、前記第１保持部を前記設置部から離れる方向に回動させることで、前記軒樋の他方の耳部を外側から保持可能であり、かつ、前記第２操作部によって、前記第２保持部を前記設置部に近づく方向に回動させることで、前記軒樋の他方の耳部を内側から保持可能であり、
前記第１操作部と前記第２操作部は、前記第１保持部と前記第２保持部によって前記軒樋の他方の耳部を保持した状態で、前記第１保持部と前記第２保持部の回動を阻止可能であることを特徴としている。
【発明の効果】
【０００７】
本発明の軒樋吊具は、軒樋を取り付ける際に容易に軒樋の取付位置を調整することができる。
【図面の簡単な説明】
【０００８】
【図１】本発明の本発明の軒樋吊具の一実施形態およびこの軒樋吊具に取り付けられる軒樋を例示した斜視図である。
【図２】図１に示した軒樋吊具に軒樋を仮留めで取り付けた状態を例示した斜視図である。
【図３】図１に示した軒樋吊具に軒樋を本留めで取り付けた状態を例示した斜視図である。
【図４】図３の矢印Ｙ方向からの軒樋吊具および軒樋の正面図である。
【発明を実施するための形態】
【０００９】
図１は、本発明の軒樋吊具の一実施形態およびこの軒樋吊具に取り付けられる軒樋を例示した斜視図である。
【００１０】
軒樋吊具１に取り付けられる軒樋２は、水平方向に延びる長尺な軒樋本体２１と、軒樋本体２１の上端縁２１aの外側に設けられた耳部２２を備えている。この実施形態では、軒樋本体２１は断面略半円形状に形成されている。軒樋本体２１の一対の上端縁２１aは、互いに対向し、長尺方向に向かって略平行に延びており、この上端縁２１aのそれぞれの外側に沿って耳部２２が形成されている。耳部２２は、内部が中空な断面略半円状に形成されており、屋外側の耳部２２aと、壁面側の耳部２２bを有している。
【００１１】
軒樋吊具１は、軒樋２の耳部２２を保持するものであり、設置部３、腕部４、係合部５、第１保持部６、第２保持部７、第１操作部８および第２操作部９を備えている。
【００１２】
設置部３は、略矩形に形成されており、左右両側付近において厚さ方向に貫通する複数の開孔部３１が形成されている。設置部３は、背面側３Ａを壁面に当接させ、それぞれの開孔部３１にネジなどの固定具Ｔを挿入することで、壁面の所定位置に固定される。
【００１３】
腕部４は、設置部３の正面３Ｂ側から突出して略水平に延びている。腕部４の突出方向の先端部４１側には、基端部４２側よりも幅が広い幅広部４３が形成されている。腕部４の基端部４２側の下面４Ａには下方に向かって突出する突起部４２aが設けられており、この突起部４２aが設置部３と接続していることで、腕部４の安定性が向上している。また、腕部４の基端部４２側の上面４Ｂの中央付近には、設置部３の中央付近と接続する略三角形状の補強部４４が設けられており、この補強部４４によって腕部４の安定性が向上している。
【００１４】
係合部５は、腕部４の突出方向の先端部４１側に設けられており、軒樋２の一方の耳部２２を保持する。具体的には、係合部５は、腕部４の突出方向の先端部４１から下方に向かって延びる垂下部５１と、この垂下部５１の下端部５１aから設置部３方向側に向かって略水平に突出する係合片部５２とを備えている。係合片部５２と腕部４の下面４Ａとの間には耳部保持空間Ｓが形成されており、この耳部保持空間Ｓにおける係合片部５２と腕部４の下面４Ａとの間の距離Ｌ１は、耳部２２の縦方向長さＬ２と対応している。
【００１５】
係合部５より設置部３側の腕部４の上面４Ｂには、腕部４の突出方向と直交する方向に長い略円筒状の回動部Ｄが設けられている。回動部Ｄは、第１円筒部Ｄ１と第２円筒部Ｄ２とが、円筒状の連結部Ｄ３を介して接続している。
【００１６】
第１円筒部Ｄ１は、回動部Ｄの一端側（腕部４の側端部４Ｃ側）に設けられており、腕部４の側端部４Ｃから外側に突出している。第１円筒部Ｄ１と連結部Ｄ３との接続面Ｅの位置は、腕部４の側端部４Ｃ付近に位置している。
【００１７】
第２円筒部Ｄ２は、回動部Ｄの他端側（腕部４の側端部４Ｄ側）に設けられており、第１円筒部Ｄ１の突出方向とは反対方向に突出している。第２円筒部Ｄ２の先端部Ｆは、腕部４の側端部４Ｄよりも外側に突出している。
【００１８】
第１保持部６は、回動部Ｄの第１円筒部Ｄ１の下側に設けられている。すなわち、第１保持部６は、係合部５より設置部３側の腕部４の一方の側端部４Ｃの下方付近に位置している。第１保持部６は、第１円筒部Ｄ１の下側から下向きに延び、腕部４の突出方向に向かって斜め上方向に湾曲する湾曲部６１と、湾曲部６１の先端の当接面部６２とを備えている。第１保持部６は、第１円筒部Ｄ１の回転に伴って回動自在である。すなわち、図１中の矢印に示したように、第１保持部６は、第１円筒部Ｄ１を回転させることで腕部４の突出方向と直交する水平方向を中心軸Ｐとして、設置部３側または腕部４の突出方向側（先端部４１側）に回動させることができる。第１円筒部Ｄ１と連結部Ｄ３との接続面Ｅの位置が腕部４の側端部４Ｃ付近に位置しているため、第１保持部６の回動が腕部４によって妨げられることはない。
【００１９】
第２保持部７は、回動部Ｄの第２円筒部Ｄ２の先端部Ｆ付近の下側に設けられている。すなわち、第２保持部６は、係合部５より設置部３側の腕部４の一方の側端部４Ｄの下方付近に位置している。第２保持部７は、第２円筒部Ｄ２の先端部Ｆ付近から、腕部４の突出方向と直交する方向に延びる略直方体状に形成されている。第２保持部７の上面部７１は、第２円筒部Ｄ２の下側から腕部４の突出方向と直交する水平方向に延びている。また、第２保持部７の基端部側（第２円筒部Ｄ２と接続する側）には、第２円筒部Ｄ２の下側から斜め下方に向かって延びる傾斜面部７２が形成されている。さらに、第２円筒部Ｄ２の下端部７３は、腕部４の下面４Ａよりも下方に位置している。第２保持部７は、第２円筒部Ｄ２の回転に伴って回動自在である。すなわち、図１中の矢印に示したように、第２保持部７は、第２円筒部Ｄ２を回転させることで腕部４の突出方向と直交する水平方向を中心軸Ｐとして、設置部３側または腕部４の突出方向側（先端部４１側）に回動させることができる。
【００２０】
第１操作部８と第２操作部９とは互いに近接して設けられている。
【００２１】
第１操作部８は、第１円筒部Ｄ１の上側に設けられており、第１保持部６の回動を操作可能である。具体的には、第１操作部８は、第１円筒部Ｄ１の上側で起立し、腕部４の突出方向と直交する方向に長い略板状である。第１操作部８の外側端部８１の位置は、第１円筒部Ｄ１の先端部の位置と略一致している。一方、第１操作部８の内側端部８２は、連結部Ｄ３の中央付近にまで延びている。第１操作部８の内側端部８２側と連結部Ｄ３との間には隙間Ｑ１が形成されている。
【００２２】
第１操作部８の内側端部８２（第２操作部７と対峙する一端部）には、腕部４の先端部４１方向に向かって突出する第１爪部８３を備えている。
【００２３】
図１中の矢印に示したように、第１操作部８を設置部３側に押して第１円筒部Ｄ１を回転させると、第１保持部６は、設置部３から離れる方向に向かって回動する。また、第１操作部８を腕部４の先端部４１側に押して第１円筒部Ｄ１を回転させると、第１保持部６は、設置部３に近づく方向に向かって回動する。なお、第１操作部８の内側端部側と連結部Ｄ３との間には隙間Ｑ１が形成されているため、第１操作部８が第１円筒部Ｄ１の回転を妨げることが抑制されている。
【００２４】
第２操作部９は、第２円筒部Ｄ２の上側に設けられており、第２保持部７の回動を操作可能である。具体的には、第２操作部９は、第２円筒部Ｄ２の上側で起立し、腕部４の突出方向と直交する方向に長い略板状である。第２操作部９の外側端部９１の位置は、第２円筒部Ｄ２の突出方向の先端部Ｆの位置と略一致している。一方、第２操作部９の内側端部９２は、連結部Ｄ３の中央付近にまで延びており、第１操作部８の内側端部８２と対峙させることができる。第１操作部８の内側端部８３側と連結部Ｄ３との間には隙間Ｑ２が形成されている。
【００２５】
第２操作部９の内側端部９２（第１操作部８と対峙する一端部）には、設置部３方向に向かって突出する第２爪部９３を備えている。
【００２６】
図１中の矢印に示したように、第２操作部９を腕部４の先端部４１側に押して第２円筒部Ｄ２を回転させると、第２保持部７は、設置部３に近づく方向に向かって回動する。また、第２操作部９を設置部３側に押して第２円筒部Ｄ２を回転させると、第２保持部７は、設置部３から離れる方向に向かって回動する。なお、第２操作部９の内側端部９２側と連結部Ｄ３との間には隙間Ｑ２が形成されているため、第２操作部９が第２円筒部Ｄ２の回転を妨げることが抑制されている。
【００２７】
また、この実施形態の軒樋吊具１では、設置部３、腕部４、係合部５、第１保持部６、第２保持部７、第１操作部８および第２操作部９が樹脂製であることが好ましい。これによって、寸法精度に優れた軒樋吊具とすることができる。
【００２８】
次に、図１に示した軒樋吊具に軒樋を取り付ける方法について、図１〜図４を用いて説明する。図２は、図１に示した軒樋吊具に軒樋を仮留めで取り付けた状態を例示した斜視図である。図３は、図１に示した軒樋吊具に軒樋を本留めで取り付けた状態を例示した斜視図である。図４は、図３の矢印Ｙ方向からの軒樋吊具および軒樋の正面図である。
【００２９】
この実施形態の軒樋吊具１では、係合部５の耳部保持空間Ｓ（図１に図示）に、軒樋の一方（屋外側）の耳部２２aを挿入する。この耳部２２aは、係合部５の垂下部５１と係合片部５２によって安定に保持される。
【００３０】
第１保持部６と第２保持部７とによって、軒樋１の他方（壁面側）の耳部２２bを挟持する。具体的には、まず、軒樋２の他方（壁面側）の耳部２２bを、第１保持部６より腕部４の先端部４１側であり、かつ、第２保持部７より設置部３側に配置する。このとき、図１に例示したように、第１操作部８は腕部４の先端部４１側に位置し、第２操作部９は設置部３側に位置している。
【００３１】
そして、図２に例示したように、第１操作部８を設置部３側に押して第１円筒部Ｄ１を回転させ、第１保持部６を設置部３から離れる方向に回動させることで、軒樋２の他方の耳部２２bを外側から保持する。さらに、第２操作部９を腕部４の先端部４１側に押して第２円筒部Ｄ２を回転させ、第２保持部７を設置部３に近づく方向に回動させることで、軒樋２の他方の耳部２２bを内側から保持する。これによって、第１保持部６と第２保持部７とによって、軒樋２の他方の耳部２２bが挟持される。第１操作部８と第２操作部９とが接近するにしたがって、軒樋２の他方の耳部２２bが第１保持部６と第２保持部７とによって強い圧力で挟持される。
【００３２】
図２に例示した状態では、第１操作部８の内側端部８２と第２操作部９の内側端部９２とは、互いに近接している。図２に例示した状態では、軒樋２の他方の耳部２２bは、第１保持部６と第２保持部７とに挟持されているものの、第１保持部６と第２保持部７は回動可能であるため、いわゆる仮留めの状態になっており、軒樋２を長手方向にスライドさせることができる。したがって、必要に応じて、軒樋２の取付作業時に軒樋２を長手方向にスライドさせることで、軒樋２の取付位置を調整することができる。このため、予め軒樋２の取付位置を正確に調整しておく必要がなく、施工性に優れている。
【００３３】
そして、軒樋２の取付位置が所望の位置にある場合は、図３に例示したように、さらに第１操作部８を設置部３側に押し、第２操作部９を腕部４の先端部４１側に押して、第１操作部８の第１爪部８３と、第２操作部９の第２爪部９２を互いに係合させる。このとき、図３および図４に例示したように、第１操作部８は設置部３側に位置し、第２操作部９は、腕部４の先端部４１側に位置している。
【００３４】
第１爪部８３と第２爪部９３とを係合させることで、第１保持部６と第２保持部７の回動が阻止され、いわゆる本留め状態になる。このため、軒樋２の他方の耳部２２bは、第１保持部６と第２保持部７とによって安定に挟持された状態で保持される。
【００３５】
このように、軒樋吊具１は、第１操作部８によって、第１保持部６を設置部３から離れる方向に回動させることで、軒樋２の他方の耳部２２bを外側から保持することができる。また、第２操作部９によって、第２保持部７を設置部３に近づく方向に回動させることで、軒樋２の他方の耳部２２bを内側から保持することができる。そして、第１操作部８と第２操作部９は、第１保持部６と第２保持部７によって軒樋２の他方の耳部２２bを保持した状態で、第１保持部６と第２保持部７の回動を阻止可能である。このため、軒樋吊具１は、軒樋２を取り付ける際に、一旦、仮留め状態で軒樋２の取付位置を調整した後、本留め状態で取り付けることができるため、予め軒樋２の取付位置を正確に調整しておく手間が不要であり、施工性に優れている。
【００３６】
また、第１操作部８に第１爪部が設けられ、第２操作部９に第２爪部９３が設けられており、この第１爪部８３と第２爪部９３とを係合させることができる。これによって、第１保持部６と第２保持部７の回動が阻止されるため、第１保持部６と第２保持部７によって軒樋２の耳部２２bを保持した状態で確実に固定することができる。
【００３７】
本発明の軒樋吊具１は、軒樋本体２１の一対の上端縁２１aのそれぞれの外側に耳部２２が設けられている軒樋２を保持する軒樋吊具１であって、以下の構成を有している。
【００３８】
壁面に固定される設置部３。設置部３から略水平方向に突出する腕部４。腕部４の突出方向の先端部４１側に設けられ、軒樋２の一方の耳部２２aを保持する係合部５。係合部５より設置部３側の腕部４の一方の側端部４Ｃの下方付近に設けられ、腕部４の突出方向と直交する水平方向を中心軸Ｐとして回動自在な第１保持部６。係合部５より設置部３側の腕部４の他方の側端部４Ｄの下方付近に設けられ、腕部４の突出方向と直交する水平方向を中心軸Ｐとして回動自在な第２保持部７。第１保持部６と接続し、第１保持部６の回動を操作可能な第１操作部８。第２保持部７と接続し、第２保持部７の回動を操作可能な第２操作部９。
【００３９】
第１操作部８によって、第１保持部６を設置部３から離れる方向に回動させることで、軒樋２の他方の耳部２２bを外側から保持可能である。第２操作部９によって、第２保持部７を設置部３に近づく方向に回動させることで、軒樋２の他方の耳部２２bを内側から保持可能である。
【００４０】
第１操作部８と第２操作部９は、第１保持部６と第２保持部７によって軒樋２の他方の耳部２２bを保持した状態で、第１保持部６と第２保持部７の回動を阻止可能である。
【００４１】
この軒樋吊具１では、第１操作部８には、第２操作部９と対峙する一端部に、側方に向かって突出する第１爪部８３を備え、第２操作部９には、第１操作部８と対峙する一端部に側方に向かって突出する第２爪部を備えていることが好ましい。第１爪部８３と第２爪部９３とを係合させることで、第１保持部６と第２保持部７の回動が阻止されることが好ましい。
【００４２】
本発明の軒樋吊具は、以上の実施形態に限定されることはない。例えば、第１保持部、第２保持部、第１操作部および第２操作部の形態や配設位置などは、適宜設計することができる。また、第１操作部および第２操作部に、第１爪部および第２爪部を設ける場合、第１爪部および第２爪部の形態や係合構造なども適宜設計することができる。また、本発明の軒樋吊具によって保持される軒樋の形態も特に限定されず、例えば角樋などであってもよい。
【符号の説明】
【００４３】
１    軒樋吊具
２    軒樋
２２  耳部
３    設置部
４    腕部
４Ｃ  側端部
４Ｄ  側端部
５    係合部
６    第１保持部
７    第２保持部
８    第１操作部
９    第２操作部
【図１】
2016199872.tif 000003
【図２】
2016199872.tif 000004
【図３】
2016199872.tif 000005
【図４】
2016199872.tif 000006